(57)【要約】【課題】非接触により表示部における輝度又は色を測定し、且つより正確な情報に基づく較正を実施することができる表示システム、該表示システムの較正方法、コンピュータに前記較正方法を実施させるコンピュータプログラム、及び該コンピュータプログラムが記録された記録媒体を提供する。【解決手段】表示部を撮像装置で撮像した撮像画像における輝度又は色と、表示部に表示させるべく入力した画像の輝度又は色とを比較して、表示部における表示装置毎の入出力特性を求め、補正を行なう較正を実施するに際し、撮像画像から抽出した領域Ａ，Ｂ，Ｃ，Ｄ夫々に対し、モアレなどが発生しておらず、輝度又は色の情報を取得する領域として適しているか否かを判定し、適していると判定した領域のみから輝度又は色の情報を取得して較正を実施する。【選択図】図７
2013128177.tif 000002
【特許請求の範囲】
【請求項１】
入力された画像信号に基づき画像を表示する表示部、及び、該表示部を撮像する撮像部を備え、該表示部に所定の調整用画像信号が入力されている間に前記撮像部にて撮像を実施し、撮像された画像における輝度又は色と、前記調整用画像信号に基づく画像の輝度又は色との間の関係を較正する較正実行部を備える表示システムにおいて、
前記較正実行部は、
前記撮像部により撮像された画像の内の一部又は全部の領域を抽出する抽出手段と、
該抽出手段が抽出した一部又は全部の領域について、該領域からの輝度又は色の情報取得の適否を判定する判定手段と、
該判定手段が適と判定した領域における輝度又は色と、前記調整用画像信号に基づく画像の輝度又は色とを比較する手段と、
該手段による比較結果に基づき、前記表示部へ入力する画像信号を補正する手段と
を備えることを特徴とする表示システム。
【請求項２】
前記判定手段は、前記領域でモアレが生じているか否かを判断する判断手段を備え、
該判断手段がモアレを生じていると判断した場合、前記情報取得を不適と判定するようにしてあること
を特徴とする請求項１に記載の表示システム。
【請求項３】
前記判断手段は、
前記領域毎に、各色成分の強度分布を求める手段と、
求められた前記強度分布から所定の強度ピークを特定できるか否かを判断する特定手段と
を備え、
前記特定手段が特定可と判断したピークが１つである場合、モアレは生じていないと判断するようにしてあること
を特徴とする請求項２に記載の表示システム。
【請求項４】
前記撮像部により撮像された画像を複数の領域に分割する分割手段を更に備え、
前記抽出手段は、前記分割手段が分割した複数の領域の内の一部又は全部を抽出するようにしてあること
を特徴とする請求項１から３のいずれか１つに記載の表示システム。
【請求項５】
前記撮像部により撮像された画像中の任意の領域の指定を受け付ける受付手段を更に備え、
前記抽出手段は、前記受付手段により指定された前記任意の領域を抽出するようにしてあること
を特徴とする請求項１から３のいずれか１つに記載の表示システム。
【請求項６】
前記分割手段が分割した複数の領域から抽出した所定数以上の領域について、前記判定手段が否と判定した場合、
前記分割手段は、前記複数の領域よりも小さな領域に再分割するようにしてあり、
前記判定手段は、再分割された領域について、該領域からの輝度又は色の情報取得の適否を判定するようにしてあること
を特徴とする請求項４に記載の表示システム。
【請求項７】
前記撮像部により撮像された画像を複数の領域に分割する分割手段を更に備え、
前記抽出手段は、前記分割手段が分割した複数の領域の内の一部又は全部を抽出するようにしてあり、
前記分割手段が分割した複数の領域から抽出した領域の内、所定数以上の領域について前記判定手段が否と判断した場合、前記画像中の任意の領域の指定を受け付ける受付手段を更に備え、
前記抽出手段は、指定された前記任意の領域を抽出して前記判定手段により適否を再判定するようにしてあること
を特徴とする請求項１から３のいずれか１つに記載の表示システム。
【請求項８】
前記表示部は、入力された画像信号に基づく画像を各表示する複数のパネルが並設されており、
前記表示部には、１つの画像の画像信号が前記複数のパネルの配置に対応して複数に分割されて入力されるようにしてあり、
前記較正実行部は、
前記撮像部により撮像された撮像画像を、前記複数のパネルの配置に対応させて分割する手段を更に備え、
前記抽出手段は、前記パネル毎に、該パネルの配置に対応する分割後の撮像画像から、領域を抽出するようにしてあり、
抽出された領域における輝度又は色と、前記調整用画像信号に基づく画像の輝度又は色とを比較した結果に基づき、前記パネルへ入力する画像信号を補正するようにしてあること
を特徴とする請求項１から７のいずれか１つに記載の表示システム。
【請求項９】
入力された画像信号に基づき画像を表示する表示部、及び該表示部を撮像する撮像部を備える表示システムにて、前記撮像部による撮像を制御する制御部が、前記表示部に所定の調整用画像信号が入力されている間に、前記撮像部にて撮像を実施させ、撮像された画像における輝度又は色と、前記調整用画像信号に基づく輝度又は色との間の関係を較正する較正方法であって、
前記制御部は、
前記撮像部により撮像された画像の内の一部又は全部の領域を抽出し、
抽出した一部又は全部の領域について、該領域からの輝度又は色の情報取得の適否を判定し、
適と判定した領域における輝度又は色と、前記調整用画像信号に基づく画像の輝度又は色とを比較し、
比較結果に基づき、前記表示部へ入力する画像信号を補正する
ことを特徴とする較正方法。
【請求項１０】
入力された画像信号に基づき画像を表示する表示部を撮像する撮像部に接続され、前記撮像部を制御するコンピュータに、前記表示部へ所定の調整用画像信号が入力されている間に前記撮像部にて撮像を実施させ、前記調整用画像信号が示す輝度又は色と、前記撮像部により撮像された画像における輝度又は色との間の関係の較正処理を実行させるコンピュータプログラムにおいて、
前記コンピュータに、
前記撮像部により撮像された画像の内の一部又は全部の領域を抽出するステップ、
抽出された一部又は全部の領域について、該領域からの輝度又は色の情報取得の適否を判定するステップ、
適と判定された領域における輝度又は色と、前記調整用画像信号に基づく画像の輝度又は色とを比較するステップ、及び、
比較結果に基づき、前記表示部へ入力する画像信号を補正するステップ
とを実行させることを特徴とするコンピュータプログラム。
【請求項１１】
請求項１０に記載されたコンピュータプログラムが、コンピュータによって読み取り可能に記録されてあることを特徴とする記録媒体。
【発明の詳細な説明】
【技術分野】
【０００１】
本発明は、表示部の輝度ムラ又は色ムラなどの較正を行なう表示システムに関する。特に、より正確な情報に基づく較正（キャリブレーション）を実施することができる表示システム、表示システムの較正方法、コンピュータに前記較正方法を実施させるコンピュータプログラム、及び該コンピュータプログラムが記録された記録媒体に関する。
【背景技術】
【０００２】
近年、ＬＣＤ（Liquid Crystal Display）又はプラズマディスプレイを表示部に用いた表示装置を複数台並べ、１つの大型表示画面を構成するマルチディスプレイシステム（又はマルチビジョンシステム）が使用されている。マルチディスプレイシステムは、複数台で大型表示画面を構成することで、大きな画像を表示するだけでなく、各表示装置で表示させる画像を変えたり、対称的に配置された表示装置が同一の画像を表示したりするなど、様々な視覚的効果を演出することができる。このような効果により、マルチディスプレイシステムは、大きな宣伝効果を得るために電子看板（デジタルサイネージ）に利用される。また、マルチディスプレイシステムは、催し物会場又は公共施設等の広い場所で、効果的な映像中継、又は演出の用途で利用される。
【０００３】
マルチディスプレイシステムの大型化の要求は年々高まっている。例えば、６０インチ型のディスプレイを縦方向に６台、横方向に６台並置し、３６面の大型ディスプレイを実現することが可能である。更に、各表示装置の表示部間の境界での連続性を高めるため、縁部（ベゼル幅）が狭い、所謂超狭額のディスプレイを採用したシステムが増加している。この場合、表示部間の色差及び輝度差を低減し、色再現性を均一化することが重要である。
【０００４】
しかしながら、表示部の色表現や輝度階調特性などの表示特性には個体差がある。更には、表示特性の温度変化や経年劣化により、色ズレ又は輝度の変化が起こる。したがって、マルチディスプレイシステムでは、複数台の表示装置の表示部間の色差及び輝度差を低減するための較正を、定期的に実施する必要がある。このような較正を簡易且つ効率的に実施できることが、マルチディスプレイシステムの普及に伴って重要度を増している。
【０００５】
簡易な較正方法の例として、特許文献１には、表示部に基準となるカラーチャートを表示させてデジタルカメラで撮像した画像の画像信号から、表示部のプロファイルを取得する方法が開示されている。なお、特許文献１における方法では、撮像した画像の画像信号から撮像デバイスに依存しない色空間で表現される画像信号、即ち、較正対象の表示部固有の色空間の画像信号を取得するために、撮像デバイス（イメージセンサ）のプロファイルを画像信号に適用してイメージセンサ固有の色空間の要素を除去するように変換している。
【先行技術文献】
【特許文献】
【０００６】
【特許文献１】特開２００７−２０８６２９号公報
【発明の概要】
【発明が解決しようとする課題】
【０００７】
特許文献１に開示された方法によれば、表示装置の表示部の色を検知する高価な測色機を用いることなしに、デジタルカメラ又は汎用なカラーイメージセンサを用いる簡易な構成にて較正を実行することができる。
【０００８】
しかしながら、表示部に表示される画像をデジタルカメラで撮像する場合、表示部の画素の配列と、デジタルカメラに備えられている撮像素子の配列との間で干渉が発生してモアレが生じるなど、撮像画像には表示部固有のものではないノイズの影響を受ける可能性がある。ノイズを含む撮像画像を較正に用いると、正確に較正を行なうことが困難になり、較正の精度が低下する。
【０００９】
本発明は斯かる事情に鑑みてなされたものであり、より正確な情報に基づく較正を実施することができる表示システム、該表示システムの較正方法、コンピュータに前記較正方法を実施させるコンピュータプログラム、及び該コンピュータプログラムが記録された記録媒体を提供することを目的とする。
【課題を解決するための手段】
【００１０】
本発明に係る表示システムは、入力された画像信号に基づき画像を表示する表示部、及び、該表示部を撮像する撮像部を備え、該表示部に所定の調整用画像信号が入力されている間に前記撮像部にて撮像を実施し、撮像された画像における輝度又は色と、前記調整用画像信号に基づく画像の輝度又は色との間の関係を較正する較正実行部を備える表示システムにおいて、前記較正実行部は、前記撮像部により撮像された画像の内の一部又は全部の領域を抽出する抽出手段と、該抽出手段が抽出した一部又は全部の領域について、該領域からの輝度又は色の情報取得の適否を判定する判定手段と、該判定手段が適と判定した領域における輝度又は色と、前記調整用画像信号に基づく画像の輝度又は色とを比較する手段と、該手段による比較結果に基づき、前記表示部へ入力する画像信号を補正する手段とを備えることを特徴とする。
【００１１】
本発明に係る表示システムは、前記判定手段は、前記領域でモアレが生じているか否かを判断する判断手段を備え、該判断手段がモアレを生じていると判断した場合、前記情報取得を不適と判定するようにしてあることを特徴とする。
【００１２】
本発明に係る表示システムは、前記判断手段は、前記領域毎に、各色成分の強度分布を求める手段と、求められた前記強度分布から所定の強度ピークを特定できるか否かを判断する特定手段とを備え、前記特定手段が特定可と判断したピークが１つである場合、モアレは生じていないと判断するようにしてあることを特徴とする。
【００１３】
本発明に係る表示システムは、前記撮像部により撮像された画像を複数の領域に分割する分割手段を更に備え、前記抽出手段は、前記分割手段が分割した複数の領域の内の一部又は全部を抽出するようにしてあることを特徴とする。
【００１４】
本発明に係る表示システムは、前記撮像部により撮像された画像中の任意の領域の指定を受け付ける受付手段を更に備え、前記抽出手段は、前記受付手段により指定された前記任意の領域を抽出するようにしてあることを特徴とする。
【００１５】
本発明に係る表示システムは、前記分割手段が分割した複数の領域から抽出した所定数以上の領域について、前記判定手段が否と判定した場合、前記分割手段は、前記複数の領域よりも小さな領域に再分割するようにしてあり、前記判定手段は、再分割された領域について、該領域からの輝度又は色の情報取得の適否を判定するようにしてあることを特徴とする。
【００１６】
本発明に係る表示システムは、前記撮像部により撮像された画像を複数の領域に分割する分割手段を更に備え、前記抽出手段は、前記分割手段が分割した複数の領域の内の一部又は全部を抽出するようにしてあり、前記分割手段が分割した複数の領域から抽出した領域の内、所定数以上の領域について前記判定手段が否と判断した場合、前記画像中の任意の領域の指定を受け付ける受付手段を更に備え、前記抽出手段は、指定された前記任意の領域を抽出して前記判定手段により適否を再判定するようにしてあることを特徴とする。
【００１７】
本発明に係る表示システムは、前記表示部は、入力された画像信号に基づく画像を各表示する複数のパネルが並設されており、前記表示部には、１つの画像の画像信号が前記複数のパネルの配置に対応して複数に分割されて入力されるようにしてあり、前記較正実行部は、前記撮像部により撮像された撮像画像を、前記複数のパネルの配置に対応させて分割する手段を更に備え、前記抽出手段は、前記パネル毎に、該パネルの配置に対応する分割後の撮像画像から、領域を抽出するようにしてあり、抽出された領域における輝度又は色と、前記調整用画像信号に基づく画像の輝度又は色とを比較した結果に基づき、前記パネルへ入力する画像信号を補正するようにしてあることを特徴とする。
【００１８】
本発明に係る較正方法は、入力された画像信号に基づき画像を表示する表示部、及び該表示部を撮像する撮像部を備える表示システムにて、前記撮像部による撮像を制御する制御部が、前記表示部に所定の調整用画像信号が入力されている間に、前記撮像部にて撮像を実施させ、撮像された画像における輝度又は色と、前記調整用画像信号に基づく輝度又は色との間の関係を較正する較正方法であって、前記制御部は、前記撮像部により撮像された画像の内の一部又は全部の領域を抽出し、抽出した一部又は全部の領域について、該領域からの輝度又は色の情報取得の適否を判定し、適と判定した領域における輝度又は色と、前記調整用画像信号に基づく画像の輝度又は色とを比較し、比較結果に基づき、前記表示部へ入力する画像信号を補正することを特徴とする。
【００１９】
本発明に係るコンピュータプログラムは、入力された画像信号に基づき画像を表示する表示部を撮像する撮像部に接続され、前記撮像部を制御するコンピュータに、前記表示部へ所定の調整用画像信号が入力されている間に前記撮像部にて撮像を実施させ、前記調整用画像信号が示す輝度又は色と、前記撮像部により撮像された画像における輝度又は色との間の関係の較正処理を実行させるコンピュータプログラムにおいて、前記コンピュータに、前記撮像部により撮像された画像の内の一部又は全部の領域を抽出するステップ、抽出された一部又は全部の領域について、該領域からの輝度又は色の情報取得の適否を判定するステップ、適と判定された領域における輝度又は色と、前記調整用画像信号に基づく画像の輝度又は色とを比較するステップ、及び、比較結果に基づき、前記表示部へ入力する画像信号を補正するステップとを実行させることを特徴とする。
【００２０】
本発明に係る記録媒体は、上記発明に係るコンピュータプログラムが、コンピュータによって読み取り可能に記録されてあることを特徴とする。
【００２１】
本発明では、表示部へ調整用画像信号を入力している間に撮像部で撮像した撮像画像から抽出された各領域について、該領域から輝度又は色の情報を取得するために適した領域であるか否かの判定が行なわれ、適していると判定された領域における輝度又は色と、調整用画像における輝度又は色とが比較されて、補正がされる。これにより、不適切な領域からの情報に基づく較正を回避し、正確な情報を取得して較正を実行することができる。適否の判断基準は、後述するようなモアレの発生の有無又は他のノイズの有無などが考えられる。
【００２２】
本発明では、較正を実施するにあたり、画像より抽出された領域からの輝度又は色の情報の適否の判定は、当該領域にてモアレが生じているか否かによって判定される。モアレの発生は、撮像装置（撮像部）の撮像素子の配列と、表示部の画素の配列との間の干渉により起こるが、モアレが生じている場合、表示部で表示されている画像の輝度又は色を正確に取得することができない。
【００２３】
本発明では、各領域にてモアレが生じているか否かが、領域内の各色成分の強度分布に、所定の強度ピークを１つ特定できるか否かで判断される。
【００２４】
本発明では、抽出される領域、即ち判定手段による判定対象となる領域は、撮像画像を複数に分割した領域の内の１つ又は全部である。分割の方法としては例えば、撮像画像を垂直方向に３つ、水平方向に４つなどにブロックに分割するなどの方法が考えられる。簡易な処理で情報取得に適した領域が得られる。
【００２５】
本発明では、抽出される領域、即ち判定手段による判定対象となる領域は、指定された任意の領域であってもよい。領域は、矩形領域でもよいし、楕円領域でもよいし、任意の形状の領域でよい。
【００２６】
本発明では、分割手段により複数の領域に分割し、分割された複数の領域の一部又は全部を抽出して判定手段による判定を行ない、所定数以上の領域で否と判定された場合、より詳細に再分割され、再度各領域から適否の判定が行なわれる。適／不適は、詳細に分割することにより、不適切な箇所を回避した領域が抽出される可能性が高まるので、確実に較正が実行可能となる。
【００２７】
本発明では、分割手段により複数の領域に分割し、分割された複数の領域の一部又は全部を抽出して判定手段による判定を行ない、所定数以上の領域で否と判定された場合、分割された領域は破棄されて任意の領域が指定され、判定手段の判定対象となる。不適切な箇所を回避して指定されることにより、確実に較正が実行可能となる。
【００２８】
本発明では、表示部は複数のパネルが並設されて構成され、１つの画像が前記複数のパネルの配置に応じて分割され、表示部全体で１つの画像が表示される。この場合に、判定する領域も、各パネルに対応させた各部分から抽出された領域とすることにより、各パネルに対して夫々適切に較正を実行することが可能となる。
【発明の効果】
【００２９】
本発明による場合、表示部を撮像した撮像画像の内、適していると判定された領域に基づき較正が行なわれる。したがって、表示されている輝度又は色を正確に評価し、適切な較正を実施することが可能となる。
【図面の簡単な説明】
【００３０】
【図１】実施の形態１における表示システムの構成を示すブロック図である。
【図２】実施の形態１における表示システムにて実施される較正処理の手順の一例を示すフローチャートである。
【図３】各表示装置毎に得られる入出力特性の内容例を示す説明図である。
【図４】補正量の算出例を示す説明図である。
【図５】実施の形態１における制御装置によって実現される機能を示す機能ブロック図である。
【図６】実施の形態１における制御装置の制御部が実行する較正処理の詳細な手順の一例を示すフローチャートである。
【図７】１つの表示装置に対応する画像の領域分割部による分割例を示す説明図である。
【図８】図７に示した分割例における各ブロックに対して作成されたＲ成分のヒストグラムの例を示すグラフである。
【図９】図７に示した分割例における各ブロックに対して作成されたＲ成分のヒストグラムの例を示すグラフである。
【図１０】図７に示した分割例における各ブロックに対して作成されたＲ成分のヒストグラムの例を示すグラフである。
【図１１】図７に示した分割例における各ブロックに対して作成されたＲ成分のヒストグラムの例を示すグラフである。
【図１２】実施の形態２における制御装置によって実現される機能を示す機能ブロック図である。
【図１３】実施の形態２における制御装置の制御部が実行する較正処理の詳細な手順の一例を示すフローチャートである。
【図１４】実施の形態３における制御装置によって実現される機能を示す機能ブロック図である。
【図１５】実施の形態３における制御装置の制御部が実行する較正処理の詳細な手順の一例を示すフローチャートである。
【図１６】実施の形態３における制御装置の制御部が実行する較正処理の詳細な手順の一例を示すフローチャートである。
【発明を実施するための形態】
【００３１】
以下、本発明をその実施の形態を示す図面に基づき具体的に説明する。
【００３２】
（実施の形態１）
図１は、実施の形態１における表示システムの構成を示すブロック図である。表示システムは、複数の表示装置１０からなる表示部１と、表示装置１０へ入力する画像信号に対する処理を行なう信号処理装置２と、表示部１を撮像する撮像装置３と、表示装置１０群にて表示される表示画像の輝度又は色の較正を実施する制御装置４とを含む。
【００３３】
実施の形態における表示システムは電子看板として利用され、そのため表示部１は、人が集まる街中の視認しやすい場所に設置されている。信号処理装置２は、例えば表示部１の近傍に設置されており、後述する方式に対応したケーブルにて表示部１の各表示装置１０と接続されている。撮像装置３は、表示部１全体を撮像範囲とするように設置されている。例えば、撮像装置３は、電子看板である表示部１の正面上方の壁面又は天井などに取り付けられている。制御装置４は、信号処理装置２及び撮像装置３の両者と接続されている。制御装置４は例えば信号処理装置２と共に表示部１の近傍に設置されている。図１及び以下の説明では表示装置１０群、信号処理装置２、撮像装置３、及び制御装置４は夫々、有線にて接続される構成とする。なお本発明では、これらは無線によって信号の送受信を行なう構成であってもよい。
【００３４】
このように構成される表示システムは、信号処理装置２が、制御装置４から出力されたコンテンツデータから画像信号を生成して表示部１の表示装置１０へ各入力して画像を表示する。ここでいうコンテンツは、動画像、静止画像、又は音声と多重化された情報のいずれでもよく、広告宣伝用のコンテンツである。
【００３５】
並置された表示装置１０は夫々、工場出荷時に輝度ムラ、色ムラ等の調整がなされ、個別に最適化されている。しかしながら、並置されるために、隣り合う表示装置１０間での輝度又は色の差は顕在化する。長時間使用した場合には特に、経年劣化により輝度の差、及び色の差が生じ得る。そこで、実施の形態１における表示システムは、表示部１にて表示される画像の品質を向上又は画質を維持するため、表示装置１０間で輝度の差、色の差が目立たないよう、画像信号を定期的に較正する較正機能を有する。例えば、同じ輝度の画像信号を入力した場合の右上の表示装置１０のパネル１１における輝度が、他の３つの表示装置１０のパネル１１における輝度と比較して、暗いときがある。このとき、他の３つの表示装置１０のパネル１１における輝度を右上の表示装置１０のパネル１１における輝度に合わせるように下げて、全体の輝度を統一させる。色に関しても同様に、個々の表示装置１０が備えるガンマテーブルを調整し、表示部１全体として色ムラが目立たないように定期的な較正が必要である。
【００３６】
実施の形態１の表示システムで実現される較正機能の概要は以下である。制御装置４は、較正用のパターン画像を表示部１にて表示している間に表示部１を撮像装置３で撮像し、表示されるべき画像の輝度又は色と、撮像画像から得られる輝度又は色とを比較し、画像信号が示す画像の輝度又は色の強度（階調値）と、実際に表示装置１０夫々に表示される画像の輝度又は色の強度（階調値）との間の関係を特定し、求めた関係から入力する画像信号に対する補正量を算出して補正する。このとき、表示部１に表示されるパターン画像を撮像した撮像画像には、モアレ等のノイズが発生している可能性があるので、本発明では制御装置４が、撮像画像からもモアレ等の発生箇所以外の適切な部分から輝度又は色の情報（出力値）を取得し、入力した画像信号の輝度又は色（入力値）と比較し、入出力特性を特定して表示装置１０毎に補正量を算出し、補正を行なう。
【００３７】
以下、各構成部及び各構成部によって実行される処理について詳細を説明する。
【００３８】
表示部１は、４台の表示装置１０を用いる。表示装置１０は２段２列に碁盤目状に並置され、並置表示装置１０群を構成している。なお表示部１は、１台の表示装置１０にて構成されてもよいし、３段３列、２段３列など任意の数で並置表示装置１０群が構成されてもよい。
【００３９】
表示装置１０は、パネル１１を備える。パネル１１は、ＬＣＤを用いる。パネル１１は、プラズマディスプレイを用いてもよい。表示装置１０は後述するように信号処理装置２から出力される画像信号に基づきパネル１１に画像を表示する。なお表示装置１０は夫々スピーカを備えて、信号処理装置２から出力される音声信号に基づき音声を出力するようにしてもよい。ただし、スピーカは表示部１とは別に設置されてもよい。
【００４０】
表示装置１０は、図示しない内蔵の記憶部に、複数の異なる色からなるパターン画像を記憶している。表示装置１０は、外部からの指示に基づき、記憶部に記憶しているパターン画像をパネル１１に表示する。パターン画像は、例えば、表示する画像の基となる画像信号がＲＧＢ（Ｒ：赤、Ｇ：緑、Ｂ：青）を夫々８ビットで表現する信号である場合、（Ｒ，Ｇ，Ｂ）＝（２５５，０，０）、（０，２５５，０）、（０，０，２５５）、（２５５，０，２５５）、（２５５，２５５，０）、（０，２５５，２５５）の主要色のベタ塗りの画像である。また、グレーバランスの調整用として、パターン画像は、最大輝度２５５を８段階に区分して（Ｒ，Ｇ，Ｂ）＝（０，０，０）、（３２，３２，３２）、（６４，６４，６４）、（９６，９６，９６）、（１２８，１２８，１２８）、（１６０，１６０、１６０）、（１９２，１９２，１９２）、（２２４，２２４，２２４）、（２５５，２５５，２５５）のベタ塗りの画像を含む。グレーバランスの調整用のパターン画像は、上述のように最大輝度を８分割したもののみならず、更に詳細に分割した画像であってもよい。
【００４１】
なお、パターン画像は、表示装置１０の図示しない記憶部に記憶されているのみならず、後述する制御装置４の記憶部４１、又は信号処理装置２の記憶部２１に記憶しておき、制御装置４の制御により信号処理装置２を経て表示装置１０へ出力されて表示される構成としてもよい。
【００４２】
信号処理装置２は、制御部２０、記憶部２１、入出力部２２、画像処理部２３、音声処理部２４、操作部２５、及び電源制御部２６を備える。
【００４３】
制御部２０は、ＣＰＵ（Central Processing Unit）を用い、図示しないコンピュータプログラムに基づき各構成部を制御する。
【００４４】
記憶部２１は、ハードディスクドライブ又はＳＳＤ（Solid State Drive）等の外部記憶装置を用いる。記憶部２１は、フラッシュメモリを用いてもよい。記憶部２１には、表示部１で表示画像と出力する音声とが多重化されたデータなどが記憶されてもよいし、後述するように各表示装置１０へ入力される画像信号に対して各適用される補正量の情報が記憶されてもよい。
【００４５】
入出力部２２は、信号処理装置２と、各表示装置１０及び制御装置４との間のコンテンツデータ、並びに、制御信号を入出力するためのインタフェースである。具体的には入出力部２２は、ＤＶＩ（Digital Visual Interface）端子及びＨＤＭＩ（High-Definition Multimedia Interface）端子を有する。これにより信号処理装置２は、制御装置４と所定の方式としてＴＭＤＳ（Transition Minimized Differential Signaling ）方式でシリアル通信を行ない、制御装置４からコンテンツデータを入力し、表示部１の複数の表示装置１０夫々へ画像信号を出力する。また入出力部２２は、ＴＣＰ（Transmission Control Protocol ）又はＵＤＰ（User Datagram Protocol）などの通信プロトコルで画像信号を送受信するためのＬＡＮ端子を有し、外部装置と通信により制御信号を送受信する。なお、入出力部２２はＬＡＮ端子を介して、制御装置４からコンテンツデータを受信してもよい。入出力部２２は更に、ＵＳＢ（Universal Serial Bus）端子又はＩＥＥＥ１３９４端子を有する構成としてもよい。
【００４６】
画像処理部２３は画像処理用の集積回路を用い、入出力部２２にて入力したコンテンツデータから画像信号を抽出し、画像信号に対して輝度又は色、色空間等の補正、及び各種フィルタ処理を含む所定の画像処理を実行する。画像処理部２３は、制御部２０からの指示に基づき、画像処理後の画像信号を入出力部２２から表示部１の各表示装置１０へ出力させる。このとき画像処理部２３は、制御部２０により取得されてある並置表示装置１０群の配列情報に基づき、各表示装置１０へ各々に対応する画像信号を出力する。配列情報とは、例えば表示部１の、向かって左上の表示装置１０を０（ゼロ）段目０（ゼロ）列（０，０）の表示装置１０とし、右下の表示装置１０を１段目１列（１，１）の表示装置１０と識別する情報である。制御部２０は、予め記憶部２１に記憶されている配列情報を取得してもよいし、外部から入力される配列情報を取得してもよい。また画像処理部２３は、制御部２０によってソフトウェア的に実現されてもよい。
【００４７】
音声処理部２４は、入出力部２２により入力した音声を含むコンテンツデータから音声信号を抽出し、音声信号に対し、補正及びフィルタ処理を含む所定の処理を実行する。音声処理部２４は、制御部２０からの指示に基づき処理後の音声信号を図示しないスピーカへ出力し、音声を出力させる。なお、信号処理装置２は、音声処理部２４を備えていなくともよい。
【００４８】
操作部２５は、電源スイッチ、切替スイッチ、及び再生／停止スイッチを少なくとも含む。操作部２５の電源スイッチ、切替スイッチ、及び再生／停止スイッチは、表示システムのオペレータが操作することが可能に信号処理装置２に形成されている。電源スイッチは、信号処理装置２の電源のオン及びオフを切り替えるためのスイッチである。切替スイッチは、表示部１を構成する複数の表示装置１０の内のいずれか１つの制御を行なうためのスイッチであり、同時に、複数の表示装置１０を選択するためのスイッチである。再生／停止スイッチは、オペレータがコンテンツの再生／停止を指示するスイッチであり、画像処理部２３及び音声処理部２４へのコンテンツデータの入力を開始／停止させるため、即ち表示部１への画像信号の入力を開始／停止させるためのスイッチである。操作部２５は、いずれのスイッチが押下されたかを検知すると、制御部２０へ通知する。
【００４９】
なお操作部２５は、信号処理装置２と無線で通信することが可能なリモートコントローラに備えられる構成としてもよい。この場合、リモートコントローラは操作部の各スイッチが押下されることに対応する無線信号を信号処理装置２へ送信する。無線通信の通信媒体は赤外光であってもよいし、電磁波であってもよい。また、操作部２５の各スイッチの押下に対応する信号を後述の制御装置４から、オペレータの操作に応じて操作指示として送信し、信号処理装置２がこれを受信し、操作指示に基づき動作するようにしてもよい。
【００５０】
電源制御部２６は、外部の電力供給源（図示せず）から供給される電力を制御する。操作部２５の電源スイッチが押下されたことを通知された制御部２０は、電源制御部２６に外部から電力を供給させるか、又は電力の供給を遮断する。電源制御部２６は、電力の供給を受けると信号処理装置２全体に電力を供給する。逆に、電源制御部２６は、電力の供給が遮断されるときは信号処理装置２全体への電力の供給が遮断される。
【００５１】
更に信号処理装置２は、例えばテレビジョン放送のアンテナ及びチューナを備え、制御装置４から出力されるコンテンツデータのみならず、放送信号を受信して表示部１で表示すべく出力するようにしてもよい。
【００５２】
撮像装置３は、例えばＵＳＢ端子を有するデジタルカメラを用い、ＣＣＤ（Charge Coupled Device ）イメージセンサを用い、表示部１を全体的に撮像する。撮像装置３はＵＳＢ端子にて後述の制御装置４と接続される。制御装置４との接続はＵＳＢに限られない。撮像装置３は、ＵＳＢ端子を介して制御装置４から撮像要求信号を入力し、撮像要求信号を入力した場合に表示部１を全体的に撮像する。撮像装置３は、撮像画像の画像信号を、ＵＳＢ端子を介して制御装置４へ送信する。なお、撮像装置３が表示部１を適切に撮像できるように、フォーカスの設定、シャッター速度、絞り、ホワイトバランス、色空間、撮像画像のファイルフォーマット等の設定が予めしてある。
【００５３】
制御装置４は、パーソナルコンピュータを用い、制御部４０、記憶部４１、一時記憶部４２、読取部４３、入出力部４４、接続部４５、及び操作部４６を備える。
【００５４】
制御部４０は、ＣＰＵを用い、記憶部４１に記憶してある制御プログラム４Ｐに基づき、後述するような各機能を実現することによって表示システムの制御、及び表示システムの表示部１における輝度又は色の較正を実現する。
【００５５】
記憶部４１は、ハードディスクドライブ又はＳＳＤ等の外部記憶装置を用いる。記憶部４１は、フラッシュメモリを用いてもよい。記憶部４１には上述した制御プログラム４Ｐが記憶されているほか、制御部４０が処理時に参照する情報が予め記憶されてもよい。また記憶部４１は、制御部４０の処理により求められる情報を記憶する。特に、記憶部４１は、制御部４０が後述する処理を行なって得られる表示装置１０毎の入出力特性を記憶し、後に制御部４０が参照することが可能である。更に記憶部４１は、較正によって求められる補正情報を記憶する。
【００５６】
一時記憶部４２は、ＳＲＡＭ（Static Random Access Memory）又はＤＲＡＭ（Dynamic Random Access Memory）等のＲＡＭを用いる。一時記憶部４２は、制御部４０が記憶部４１から制御プログラム４Ｐを読み出す際に用いられる。また、一時記憶部４２は、制御部４０の処理により発生した情報、例えば処理中の画像データ、画像データから抽出された情報などを一時的に記憶する。
【００５７】
読取部４３は、ディスクドライブを用いる。読取部４３は、ＣＤ（Compact Disk）、ＤＶＤ（Digital Versatile Disk）、ＢＤ（Blu-Ray（登録商標） Disk）、フラッシュメモリ、又はフレキシブルディスクなどである記録媒体６に記録されている情報を読み出す。実施の形態１の記録媒体６には、制御プログラム６Ｐが記録されている。制御部４０は、読取部４３によって記録媒体６に記録されている情報を読み出し、記憶部４１又は一時記憶部４２に記憶する。記憶部４１に記憶されている制御プログラム４Ｐは、記録媒体６から読み出された制御プログラム６Ｐの複製であってもよい。
【００５８】
記録媒体６は制御装置４から分離可能に構成される記録媒体であればよく、他に、磁気テープ又はカセットテープ等のテープ系、ハードディスク又は上述のフレキシブルディスク等の磁気ディスク系、上述のＣＤ、ＤＶＤ、ＢＤ等の光ディスク系、メモリカード又は光カードなどのカード系、マスクＲＯＭ（Read Only Memory）、ＥＰＲＯＭ（Erasable Programmable ROM ）、ＥＥＰＲＯＭ（登録商標；Electrically EPROM）、又はフラッシュＲＯＭなどの半導体メモリであってもよい。また、制御装置４が備える入出力部４４は、後述するようにＬＡＮ端子を有してもよいから、制御プログラム６Ｐは、通信網を介して外部からダウンロードされてもよく、電子的な伝送で具現化された搬送波に埋め込まれたコンピュータデータ信号の形態でも実現され得る。
【００５９】
入出力部４４は、制御装置４と、信号処理装置２及び外部の記憶装置５との間のインタフェースである。具体的には入出力部４４は、ＤＶＩ端子及びＨＤＭＩ端子を有し、これにより制御装置４は、記憶装置５からコンテンツデータを読み出し、信号処理装置２へコンテンツデータ及び制御信号を送信する。入出力部４４は、ＬＡＮ端子を有し、外部機器との通信を行なってもよいし、ＬＡＮ端子を介して信号処理装置２との間でデータを送受信してもよい。入出力部４４は更に、ＵＳＢ端子又はＩＥＥＥ１３９４端子を有する構成としてもよい。
【００６０】
接続部４５は、例えばＵＳＢ端子を有し、撮像装置３と接続される。接続部４５は、制御装置４が撮像装置３と接続し、撮像装置３における撮像を制御するための信号を入出力できればＵＳＢ端子に限られない。制御装置４は、接続部４５を介して撮像装置３へ撮像要求信号を送信し、撮像画像の画像信号を受信する。
【００６１】
操作部４６は、マウスなどのポインティングデバイス、キーボード、及びＬＣＤを用いた表示パネルを含み、制御部４０による処理の結果を出力し、且つ、オペレータからの操作を受け付けるユーザインタフェースである。制御部４０は、操作部４６が検知した操作の情報を受け付け、操作に応じた処理の結果を表示パネルにて表示させる。具体的には、制御部４０は、撮像装置３にて撮像した撮像画像を操作部４６の表示パネルに表示したり、撮像画像の選択を受け付けるなどの処理が可能である。なお操作部４６は、較正処理を行なう際に、制御装置４に接続されて使用可能となればよい。なお、実施の形態１において操作部４６は必須の構成要素ではない。後述する基準の表示装置１０の決定を、オペレータが選択する構成ではなく、自動的に行なう場合は不要である。
【００６２】
記憶装置５は、大容量のＨＤＤ又はＳＳＤ等を用いて画像コンテンツデータを記憶する。記憶装置５が記憶するコンテンツデータは、制御装置４から読み出しが可能である。なお記憶装置５はＤＶＤ等の記録媒体であって、制御装置４から読み出しが可能な構成であってもよい。記憶装置５は、制御装置４が備える記憶部４１であってもよい。コンテンツは、電子看板として機能する表示部１に表示される宣伝広告用のコンテンツである。
【００６３】
このように構成される表示システムにて、表示部１における輝度又は色が較正される手順を、順を追って詳細に説明する。図２は、実施の形態１における表示システムにて実施される較正処理の手順の一例を示すフローチャートである。
【００６４】
較正を実行するに際し、まず、表示部１の各表示装置１０にて、１つのパターン画像を選択し（ステップＳ１）、選択したパターン画像を表示する（ステップＳ２）。パターン画像の表示は、制御装置４の制御部４０が制御プログラム４Ｐに基づき、信号処理装置２を介してパターン画像の表示を指示する制御信号を各表示装置１０へ出力することにより実現される。そして、表示装置１０は、制御信号を受信する都度、予め定めてある順序で、パターン画像を選択して表示する。例えば、上述したように、表示装置１０が内蔵する記憶部に（Ｒ，Ｇ，Ｂ）＝（２５５，０，０）、（０，２５５，０）、（０，０，２５５）、…のパターン画像を記憶している場合、最初に（Ｒ，Ｇ，Ｂ）＝（２５５，０，０）のパターン画像を表示し、次に（Ｒ，Ｇ，Ｂ）＝（０，２５５，０）のパターン画像を表示する。
【００６５】
又は、表示装置１０が有する操作部（ＯＳＤ（On-Screen Display ）など）により直接的にパターン画像を表示させてもよいし、信号処理装置２の操作部２５の操作により、パターン画像を順次表示させる制御信号を各表示装置１０へ出力させるようにしてもよい。又は、制御装置４の制御部４０が、記憶部４１に記憶したパターン画像を順次入出力部４４により信号処理装置２を介して各表示装置１０へ出力する構成としてもよい。
【００６６】
制御装置４の制御部４０は、各表示装置１０にてパターン画像が表示されている間に、接続部４５を介して撮像装置３にて撮像を実行させる（ステップＳ３）。具体的には制御部４０は、信号処理装置２を介して各表示装置１０へパターン画像の表示を指示する制御信号を出力することに同期して、撮像要求信号を接続部４５を介して出力する。
【００６７】
制御装置４の制御部４０は、撮像装置３から撮像画像の画像信号を取得し（ステップＳ４）、取得した撮像画像の画像信号を、並置表示装置１０群の配列情報に基づき分割する（ステップＳ５）。実施の形態１の例では、制御部４０は、並置表示装置１０群の２×２の配列に基づき、２×２に分割する。例えば制御部４０は、表示部１の０（ゼロ）段目０（ゼロ）列（０，０）の表示装置１０に対応する領域を領域１とし、１段目１列（１，１）の表示装置１０に対応する領域を領域４として特定する。そして制御部４０は、各表示装置１０のパネル１１の部分を撮像した領域を抽出するように、境界部分（ベゼルを撮像した範囲）を除外することが好ましい。
【００６８】
制御部４０は、分割後の画像信号に対して夫々、表示装置１０毎の較正処理を行なう（ステップＳ６）。較正処理により、表示中のパターン画像のＲＧＢ値に対応する表示装置１０毎の出力値が求められる。ステップＳ６の詳細処理については後述にて説明する。
【００６９】
次に制御装置４の制御部４０は、全てのパターン画像に対して処理を実行したか否か判断し（ステップＳ７）、未処理のパターン画像がある場合（Ｓ７：ＮＯ）、処理をステップＳ１へ戻し、次のパターン画像を選択させる。
【００７０】
制御装置４の制御部４０は、全てのパターン画像に対して処理を実行したと判断した場合（Ｓ７：ＹＥＳ）、基準とする表示装置１０の決定を行なう（ステップＳ８）。全てのパターン画像に対して処理を実行することにより、表示装置１０毎の入出力特性の色成分毎の分布が求められ、記憶部４１に記憶されている。制御部４０は、表示装置１０毎の入出力特性に基づき、表示装置１０の決定を行なう。そして制御部４０は、基準の表示装置１０における輝度又は色の表示に合わせるように、他の表示装置１０における輝度又は色の補正量を算出し（ステップＳ９）、算出した補正量に基づき補正を実行し（ステップＳ１０）、処理を終了する。
【００７１】
ステップＳ１０における補正は、以後、制御装置４が入出力部４４から読み出すコンテンツデータを信号処理装置２へ出力するに際し、得られた補正情報に基づいて制御部４０にて実行される。又は、ステップＳ１０における補正は、制御装置４の制御部４０が、得られた補正情報を入出力部４４から信号処理装置２へ出力し、信号処理装置２が記憶部２１に記憶し、各表示装置１０に対応するガンマテーブルを補正情報に基づいて補正し、以後、表示装置１０へ出力する画像信号を画像処理部２３にて補正するようにしてもよい。
【００７２】
ステップＳ８における基準とする表示装置１０の決定処理、及びＳ９における補正量の算出処理は、具体的には以下のように行なわれる。
【００７３】
図３は、各表示装置１０毎に得られる入出力特性の内容例を示す説明図である。図３は、２段２列で構成される並置表示装置１０群の内の左上の表示装置１０、右上の表示装置１０、左下の表示装置１０及び右下の表示装置１０夫々の入出力特性を表すグラフである。いずれのグラフも、横軸は入力値、縦軸は出力値であって、８ビットで表わされる輝度又は色の階調を表す０〜２５５の入力値に対して実際にパネル１１で表示される輝度又は色の強度の階調（０〜２５５）を示している。図３に示す例では、（Ｒ，Ｇ，Ｂ）＝（０，０，０）、（６４，６４，６４）、（１２８，１２８，１２８）、（１９２，１９２，１９２）、（２５５，２５５，２５５）のパターン画像を表示した場合の各表示装置１０における例えばＲ成分の出力輝度を示している。図３に示す例では、左上及び右下の表示装置１０は、最大２５５である入力値に対し、Ｒ成分の最大値２５５を出力する。右上の表示装置１０は、最大２５５である入力値に対し、最大値２５５よりも低い輝度を出力する特性を有していることがわかる。制御装置４の制御部４０は、他のＧ，Ｂ夫々、及び輝度についても同様に入出力特性を求める。
【００７４】
ステップＳ８における基準とする表示装置１０の決定は、例えば、最大輝度の入力に対して出力が最も低い表示装置１０を選択することによって実現される。また、各色のガンマデータのバランスが悪く、表示色が偏っている表示装置１０を選択することによって実現されてもよい。具体的には、オペレータが、撮像画像を目視して決定するか、又は入出力特性を表す図３に示したようなグラフを目視して決定する。オペレータが、操作部４６を介して選択操作を行なうことにより、制御部４０がこれを検知して選択された表示装置１０を特定することで、基準とする表示装置１０の決定が実現する。なお、制御部４０が、表示装置１０毎に、各々に対応する撮像画像内の領域での色ムラ、輝度ムラの有無及びムラの大小を判断し、最もムラが大きい領域に対応する表示装置１０を基準の表示装置１０と自動的に決定する構成としてもよい。具体的には、制御部４０は、表示装置１０毎に、１つのパターン画像を撮像した撮像画像から、対応する領域中の上部、左部、中央部、右部、下部夫々における輝度又は色を取得し、夫々の輝度又は色のばらつきを算出し、ばらつきが大きい場合に輝度ムラ又は色ムラが大きいと判断する。
【００７５】
図４は、補正量の算出例を示す説明図である。図４は、２段２列で構成される並置表示装置１０群の内の左上の表示装置１０、右上の表示装置１０、左下の表示装置１０及び右下の表示装置１０夫々の補正後のＲ成分の入出力特性を表すグラフである。図４に示す各グラフは、図３に示した各グラフに対応し、各グラフ中の破線にて、図３に示した元の入出力特性を示している。図４に示すように、左上、左下及び右下の表示装置１０のＲ成分の入出力特性は、基準となった右上の表示装置１０のＲ成分の入出力特性に合わせられている。このようにして表示システムでは、制御装置４が、基準に決定した表示装置１０のＲ，Ｇ，Ｂ夫々の入出力特性に出来る限り一致するように、他の表示装置１０の各色成分の入出力を調整する。
【００７６】
次に、ステップＳ６における表示装置１０毎の較正処理について詳細を説明する。較正処理は、制御部４０の以下に示す各機能により、各表示装置１０に対応する画像から適切な領域が抽出されて実行される。
【００７７】
図５は、実施の形態１における制御装置４によって実現される機能を示す機能ブロック図である。制御装置４の制御部４０は、記憶部４１に記憶されている制御プログラム４Ｐを読み出して実行することにより、領域分割部４０１、判定部４０２、及び較正部４０３として機能し、パーソナルコンピュータを表示システムの制御装置４として動作させ、以下に説明する各処理を実施して較正を行なう。なお、領域分割部４０１、判定部４０２、及び較正部４０３は、集積回路としてハードウェア的に構成されてもよい。
【００７８】
領域分割部４０１は、撮像画像から表示装置１０毎に分割された撮像画像の画像信号を、更に複数のブロックの画像信号に分割する。例えば領域分割部４０１は、１つの表示装置１０に対応する画像を、垂直方向に４分割、水平方向に６分割の４×６のブロックに分割する。なお分割するブロックの大きさは、パネル１１の解像度（画素数）に応じて任意に定める。例えば、パネル１１の画素数が１３６６×７６８の例では、撮像画像を、垂直方向に８分割、水平方向に１６分割した８５×９６の画素からなるブロックとなるように分割してもよい。つまり、表示装置１０に対応して分割する際に２×２に分割し、表示装置１０毎に分割する際に、４×８に分割するようにしてもよい。この場合、水平方向は１６で割り切れずに端数が出るため、右端のブロックのみ９１×９６のサイズとなる。
【００７９】
判定部４０２は、領域分割部４０１により分割されたブロック毎に、輝度又は色の情報を取得する領域として適しているか否かを判定する。詳細には判定部４０２は、ブロック毎に、ブロック内にモアレが生じているか否かを判断し、モアレが生じていない場合、輝度又は色の情報を取得する領域として適していると判定する。更に詳細には判定部４０２は、ブロック毎に、輝度又は色の階調値毎のヒストグラム（画素数の分布）を作成するヒストグラム作成部４０４、及び作成したヒストグラムを解析するヒストグラム解析部４０５を有し、解析結果に基づき、モアレが生じているか否かを判断する。
【００８０】
判定部４０２は、以下の要因により発生したモアレによる影響が少ない領域のみから、輝度又は色の情報を取得するように、適否を判定するものである。撮像装置３に用いられるデジタルカメラのＣＣＤイメージセンサの受光素子（画素）は、規則正しく並んでいる。同様に、各表示装置１０のパネル１１の発光素子（画素）も同様に規則正しく並んでいる。ＣＣＤイメージセンサの画素の配列パターンの空間周波数と、パネル１１の画素の配列パターンの空間周波数とが干渉した場合、モアレが発生する。撮像装置３の撮像条件によっても、モアレの発生パターンは異なる。表示装置１０毎に分割した画像中にも、モアレの影響が多い領域と、モアレの影響が少ない領域とがある。モアレの影響が多い領域と少ない領域とが存在する理由の１つは、パネル１１と、撮像装置３のレンズの光学系の軸とが垂直関係になく、微妙にずれているために、モアレの発生箇所が影響すると考えられる。判定部４０２は各表示装置１０の配列に基づき分割された画像を更に細かくブロックに分割し、細かく分割されたブロック夫々について、モアレの発生の有無を判断する。
【００８１】
較正部４０３は、並置される表示装置１０毎に、判定部４０２が適と判定した領域から取得した輝度又は色の値と、パターン画像の輝度又は色の値との間の関係から入出力特性を求め、記憶部４１に記憶する。
【００８２】
このように構成される制御装置４の制御部４０による処理の手順を順を追って説明する。図６は、実施の形態１における制御装置４の制御部４０が実行する較正処理の詳細な手順の一例を示すフローチャートである。図６のフローチャートに示す処理手順は、図２のフローチャートに示したステップＳ６の詳細に対応する。つまり、撮像画像が並置表示装置１０群の配列情報に基づき分割された後、以下の処理が実行される。
【００８３】
制御部４０は、並置表示装置１０群の内の１つの表示装置１０を選択し（ステップＳ６０１）、選択した表示装置１０に対応する領域、即ち分割されている画像を抽出する（ステップＳ６０２）。
【００８４】
制御部４０は、領域分割部４０１の機能により、表示装置１０に対応して分割されている画像を更に複数のブロックに分割する（ステップＳ６０３）。具体的には制御部４０は、選択した表示装置１０に対応する画像を更に、４×６のブロックに分割する。
【００８５】
制御部４０は、判定部４０２のヒストグラム作成部４０４の機能により、分割後のブロックの内の１つのブロックについてヒストグラムを作成する（ステップＳ６０４）。ここで制御部４０は、輝度又は色成分毎にヒストグラムを作成する。具体的には、制御部４０は、ブロック内の輝度毎、又は色成分毎の階調値別に画素数をカウントし、階調値を複数区間に区切り、その区間毎の画素数の分布を求めてヒストグラムとする。例えば制御部４０は、ブロック内の全画素を走査して各画素のＲ値を参照し、Ｒ値を０〜７、８〜１５、１６〜２３、…、２３２〜２３９、２４０〜２４７、２４８〜２５５の区間に分けてそれぞれの区間に対応する画素数を計数する。そして制御部４０は、Ｒ値の各区間に対する画素数の分布を作成する。制御部４０は、他のＧ値、Ｂ値についても夫々画素数の分布を作成する。制御部４０は、ＲＧＢ値から求められる輝度値に対する画素数の分布を同様に、各区間に分けて作成してもよい。
【００８６】
制御部４０は、判定部４０２のヒストグラム解析部４０５の機能により、作成したヒストグラムを解析し（ステップＳ６０５）、ヒストグラム中のピークが１つであるか否かを判断する（ステップＳ６０６）。
【００８７】
ステップＳ６０６において制御部４０は、色成分毎の階調値別の画素数の分布のピークを特定する。即ち制御部４０は、ブロック内における色成分毎の強度ピークを特定する。このとき制御部４０は、所定の閾値以上の画素数、及び所定値以下の標準偏差（又は分散等）である場合のみ、ピークと特定する。制御部４０は、ある程度ブロードなピークはピークとして特定しない。またステップＳ６０６において制御部４０は、各色成分全てでピークが１つであるか、又はいずれか１つ若しくは２つの色成分にてピークが１つであるか否かを判断する。つまり、いずれかの色成分でピークが２つ以上である場合、制御部４０は、ピークは１つでないと判断する。これは、ブロック内にモアレが激しく発生している場合、鮮明な干渉縞となり、縞の濃淡夫々に対応する階調値でピークを持つことになるからである。
【００８８】
制御部４０は、ピークは１つであると判断した場合（Ｓ６０６：ＹＥＳ）、モアレは発生しておらず、輝度又は色の情報を取得する領域として適していると判定し（ステップＳ６０７）、処理を次のステップＳ６０９へ進める。
【００８９】
制御部４０は、ピークは１つでないと判断した場合（Ｓ６０６：ＮＯ）、モアレが発生しており、不適であると判定し（ステップＳ６０８）、処理を次のステップＳ６０９へ進める。
【００９０】
次に制御部４０は、全ブロックについて判定処理を行なったか否かを判断する（ステップＳ６０９）。制御部は、全ブロックについて判定処理を行なっていないと判断した場合（Ｓ６０９：ＮＯ）、処理をステップＳ６０４へ戻し、次のブロックについてステップＳ６０４〜ステップＳ６０８の処理を行なう。
【００９１】
制御部４０は、全ブロックについて判定処理を行なったと判断した場合（Ｓ６０９：ＹＥＳ）、適していると判定されたブロックから、輝度又は色の取得対象として最も適しているブロックを抽出する（ステップＳ６１０）。ステップＳ６１０において制御部４０は、特定したピークの標準偏差が最も小さいブロックを、最も適しているブロックとして抽出する。例えば制御部４０は、標準偏差が８以内である１つ又は複数のブロックを抽出するとしてもよい。
【００９２】
制御部４０は、ステップＳ６１０で抽出したブロックから輝度又は色の情報を出力値として取得する（ステップＳ６１１）。即ち制御部４０は、ピーク値である階調値を出力値として取得する。このとき、ステップＳ６１０で複数のブロックを抽出している場合、制御部４０は、各ブロックのピーク値を平均して取得する。この場合、取得される値はより正確であり、精度が優先されることになる。これは、ピークの標準偏差が小さいブロックは、色ムラが発生しているブロックである可能性を考慮したものである。
【００９３】
制御部４０は、並置表示装置１０群の内の全ての表示装置１０に対応する画像について処理を行なったか否かを判断する（ステップＳ６１２）。制御部４０は、処理は未完了であると判断した場合（Ｓ６１２：ＮＯ）、処理をステップＳ６０１へ戻し、次の表示装置１０に対応する画像について処理を行なう。制御部４０は、全ての表示装置１０に対応する画像について処理を行なったと判断した場合（Ｓ６１２：ＹＥＳ）、処理を図２のフローチャートのステップＳ７へ戻す。
【００９４】
なお、上述のフローチャートでは、ステップＳ６０４〜Ｓ６０９で全ブロックについて判定を行ない、最も適していると考えられるブロックを抽出する構成とした。しかしながら本発明はこれに限らず、１つのブロックについて、モアレが発生していない、適切なブロックであると判定した場合、当該ブロックから輝度又は色の情報を取得し、以後、他のブロックについては処理を行なわない構成としてもよい。この場合、処理を高速化することができる。
【００９５】
図６に示した処理手順を具体例を挙げて説明する。図７は、１つの表示装置１０に対応する画像の領域分割部４０１による分割例を示す説明図である。図７は、例として（Ｒ，Ｇ，Ｂ）＝（１２８，１２８，１２８）のパターン画像を表示している間に撮像された撮像画像を、４つに分割した画像の内、右上の表示装置１０に対応する画像の例を示している。図７では、領域分割部４０１として機能する制御部４０により、画像が４×６のブロックに分割されている。図７に示した分割例における各ブロックの内、太線で囲まれた領域を夫々、領域Ａ，領域Ｂ，領域Ｃ，領域Ｄとする。
【００９６】
図８から図１１は、図７に示した分割例における各ブロックに対して作成されたＲ成分のヒストグラムの例を示すグラフである。いずれも横軸にＲ値の強度の階調値、縦軸に画素数を示す。図８は、図７中の領域ＡのＲ成分のヒストグラム、図９は領域ＢのＲ成分のヒストグラム、図１０は領域ＣのＲ成分のヒストグラム、図１１は領域ＤのＲ成分のヒストグラムである。
【００９７】
図８に示す領域ＡのＲ成分のヒストグラムは、２つのピークを有している。これは、モアレパターンの発生が激しく、鮮明となった干渉縞の濃淡夫々のＲ値を持つ画素数が多いからである。このため、制御部４０は判定部４０２としての機能により、領域ＡをステップＳ６０８にて不適と判定する。
【００９８】
図９に示す領域ＢのＲ成分のヒストグラムは、Ｒ値が約１２０の付近にピークを持つが、ブロードであり、また、Ｒ値が約６４の付近、及びＲ値が約１９２の付近でもピークを持つ。したがって、制御部４０は、領域ＢをステップＳ６０８にて不適と判定する。
【００９９】
図１０に示す領域ＣのＲ成分のヒストグラムは、Ｒ値が約１２５の付近にピークを持つ。制御部４０は、ヒストグラム解析部４０５の機能により、領域ＣにてＲ成分について所定のピークを特定する。これにより制御部４０は、判定部４０２の機能により、モアレが発生しておらず、ステップＳ６０７にて適と判定する。
【０１００】
図１１に示す領域ＤのＲ成分のヒストグラムは、Ｒ値が約１１０の付近にピークを持つ。制御部４０は、ヒストグラム解析部４０５の機能により、領域ＤにてＲ成分について所定のピークを特定する。これにより制御部４０は、判定部４０２の機能により、モアレが発生しておらず、ステップＳ６０７にて適と判定する。
【０１０１】
制御部４０は、領域Ｃ及び領域Ｄの両方を適していると判定しているが、領域Ｃ及び領域Ｄの内、標準偏差がより小さい領域Ｄを最も適したブロックとして抽出し（Ｓ６１０）、領域ＤからＲ成分の出力値として平均値の「１１１」を取得する。
【０１０２】
これにより、制御部４０は、２×２の表示装置１０毎に、表示しているパターン画像に対するＲの出力値を取得できる。つまり、ステップＳ１にて（Ｒ，Ｇ，Ｂ）＝（１２８，１２８，１２８）のパターン画像を選択して表示している場合に、図６のフローチャートに示した処理手順を実行することにより、制御部４０は、モアレが発生していない領域からＲの出力値を「１１１」と取得し、入力「１２８」に対し、出力値が「１１１」であると入出力を特定することが可能である。このような処理を、制御部４０はＧ成分及びＢ成分についても実行する。
【０１０３】
このようにして、非接触型のデジタルカメラを用いる撮像装置３でマルチディスプレイを構成する表示部１を撮像して迅速に較正処理が実行できる。したがって、接触型の測色器を使って各表示装置１０のパネル１１の較正を実行する構成よりも、大幅な時間短縮が可能となる。しかも本発明では、較正を実行するにあたり、出力値を取得する領域からモアレが発生している領域は除外され、適切な箇所のみから輝度又は色の情報が取得される。取得されたモアレ等の影響が無い輝度又は色の情報が、表示装置１０のパネル１１にて表示されている輝度又は色の出力値として採用される。したがって、正確な情報を取得して較正を実行することが可能となる。
【０１０４】
なお制御部４０は、図６のフローチャートに示した処理手順において、全ブロックについて判定処理を行なった結果、適していると判定されたブロックが１つも存在しなかった場合、処理をステップＳ６０３へ戻し、より小さなブロック（例えば１／２又は２／３等）に再分割するようにしてもよい。この場合制御部４０は、再分割したブロックについてステップＳ６０４〜Ｓ６０９の処理を行なう。制御部４０は、適していると判定されたブロックが１つでも存在するまで、より小さなブロックへの再分割を繰り返す構成としてもよい。
【０１０５】
（実施の形態２）
実施の形態１では、制御装置４の制御部４０は、表示装置１０毎の較正処理において、表示装置１０夫々に対応する画像を更にブロックに分割し、分割後の各ブロックについて、モアレが発生しているか否かを判定する処理を行なった。これに対し、実施の形態２では、オペレータが撮像画像から任意の領域を指定し、指定された領域から輝度又は色の情報が取得される構成とする。
【０１０６】
実施の形態２における表示システムの構成は、制御装置４の制御部４０により実現される機能、及び以下に示す詳細な較正処理の手順以外、実施の形態１と同様である。したがって、共通する構成には同一の符号を付し、詳細な説明を省略する。なお、実施の形態２においては、制御装置４の操作部４６は較正処理実行時には必須である。
【０１０７】
図１２は、実施の形態２における制御装置４によって実現される機能を示す機能ブロック図である。制御装置４の制御部４０は、記憶部４１に記憶されている制御プログラム４Ｐを読み出して実行することにより、領域受付部４０６、判定部４０２、及び較正部４０３として機能する。領域受付部４０６、判定部４０２及び較正部４０３は、集積回路としてハードウェア的に構成されてもよい。
【０１０８】
領域受付部４０６は、撮像画像信号を接続部４５から入力し、操作部４６の表示パネルに、表示装置１０毎の撮像画像を表示させる。そして領域受付部４０６は、モアレが生じていない領域を目視で確認した上で選択するようにメッセージを出力し、操作部４６のマウス又はキーボード等の入力インタフェースを介して領域の指定を受け付ける。領域の指定は具体的には、矩形選択ツール若しくは楕円選択ツール等の描画ツール、又は、撮像画像上の座標（水平方向をｘ軸、垂直方向をｙ軸）の入力によって受け付ける。領域受付部４０６は操作部４６の入力インタフェースにより入力された範囲を、画像上で特定し、特定した範囲を抽出して判定部４０２の判定対象とする。
【０１０９】
判定部４０２及び較正部４０３による処理内容は、実施の形態１における処理と同様であるので詳細な説明を省略する。
【０１１０】
制御部４０が領域受付部４０６として機能する場合の較正処理の詳細について、フローチャートを参照して以下に説明する。図１３は、実施の形態２における制御装置の制御部が実行する較正処理の詳細な手順の一例を示すフローチャートである。なお、図１３のフローチャートに示す処理手順は、実施の形態２においても図２のフローチャートに示したステップＳ６の詳細に対応する。
【０１１１】
制御部４０は、並置表示装置１０群の内の１つの表示装置１０を選択し（ステップＳ６２１）、選択した表示装置１０に対応する領域、即ち分割されている画像を抽出する（ステップＳ６２２）。
【０１１２】
制御部４０は、領域受付部４０６の機能により、操作部４６の表示パネルに、抽出した画像を表示させ（ステップＳ６２３）、モアレが生じていない領域を指定させるようにメッセージを出力する（ステップＳ６２４）。
【０１１３】
制御部４０は、表示されている画像の上で操作部４６の入力インタフェースによって領域が指定されたか否かを判断する（ステップＳ６２５）。制御部４０は、領域が指定されていないと判断した場合（Ｓ６２５：ＮＯ）、処理をステップＳ６２５へ戻し、指定されるまで待機する。
【０１１４】
制御部４０は、領域が指定されたと判断した場合（Ｓ６２５：ＹＥＳ）、指定された領域の座標情報に基づき、撮像画像から指定された領域の画像を抽出する（ステップＳ６２６）。
【０１１５】
制御部４０は、ステップＳ６２６で抽出した画像に対し、判定部４０２のヒストグラム作成部４０４の機能により、ヒストグラムを作成する（ステップＳ６２７）。制御部４０が作成するヒストグラムは、実施の形態１における例と同様である。
【０１１６】
制御部４０は、判定部４０２のヒストグラム解析部４０５の機能により、作成したヒストグラムを解析し（ステップＳ６２８）、ヒストグラム中のピークが１つであるか否かを判断する（ステップＳ６２９）。ステップＳ６２９における判断は、実施の形態１における図６のステップＳ６０６における処理と同様である。
【０１１７】
制御部４０は、ピークは１つであると判断した場合（Ｓ６２９：ＹＥＳ）、モアレが発生しておらず、輝度又は色の情報を取得する領域として適していると判定し（ステップＳ６３０）、当該領域から輝度又は色の情報を出力値として取得する（ステップＳ６３１）。そして制御部４０は、並置表示装置１０群の内の全ての表示装置１０に対応する画像について処理を行なったか否かを判断する（ステップＳ６３２）。
【０１１８】
制御部４０は、ピークは１つでないと判断した場合（Ｓ６２９：ＮＯ）、当該領域にはモアレが発生しており、不適であると判定し（ステップＳ６３３）、処理をステップＳ６２４へ戻して、再度モアレが発生していない領域を指定させるようにメッセージを出力し（Ｓ６２４）、新たに指定された領域に対しステップＳ６２５〜Ｓ６３３の処理を実行する。そして、適していると判定される領域が存在するまで処理が繰り返される。
【０１１９】
制御部４０は、ステップＳ６３２にて、処理は未完了であると判断した場合（Ｓ６３２：ＮＯ）、処理をステップＳ６２１へ戻し、次の表示装置１０に対応する画像について処理を行なう。制御部４０は、全ての表示装置１０に対応する画像について処理を行なったと判断した場合（Ｓ６３２：ＹＥＳ）、処理を図２のフローチャートのステップＳ７へ戻す。
【０１２０】
このように、表示される輝度又は色の情報は、目視によりオペレータが適していると判断して指定された領域から取得されてもよい。これにより、正確な輝度又は色の情報を取得して較正を実行することが可能となる。
【０１２１】
（実施の形態３）
実施の形態１では、各表示装置１０に対応する画像が更に分割された各ブロックについて、モアレが発生しているか否かが判定され、実施の形態２では、各表示装置１０に対応する画像から指定された任意の領域にてモアレが発生しているか否かが判定される構成であった。これに対し、実施の形態３では一旦ブロックに分割した後、分割したブロックにてモアレが発生している場合、任意の領域の選択を受け付ける構成とする。
【０１２２】
実施の形態３における表示システムの構成は、制御装置４の制御部４０により実現される機能、及び以下に示す詳細な較正処理の手順以外、実施の形態１及び２と同様である。したがって、共通する構成には同一の符号を付し、詳細な説明を省略する。なお、実施の形態３においては、制御装置４の操作部４６は較正処理実行時には必須である。
【０１２３】
図１４は、実施の形態３における制御装置４によって実現される機能を示す機能ブロック図である。制御装置４の制御部４０は、記憶部４１に記憶されている制御プログラム４Ｐを読み出して実行することにより、領域分割部４０１、判定部４０２、較正部４０３、及び領域受付部４０６として機能する。領域分割部４０１、判定部４０２、較正部４０３、及び領域受付部４０６の各機能は、実施の形態１及び２におけるそれらの機能と同様である。したがって、同一の符号を付して詳細な説明を省略する。
【０１２４】
実施の形態３では、制御部４０は領域分割部４０１の機能によって分割したブロックについて、モアレが発生しておらず、輝度又は色の情報の取得対象として適しているか否かを判定し、所定数以上のブロック、例えば全てのブロックについて不適と判定した場合に、領域受付部４０６により、オペレータによる領域指定を受け付ける構成とする。
【０１２５】
実施の形態３における制御部４０が、領域分割部４０１、判定部４０２、較正部４０３、及び領域受付部４０６として機能する場合の較正処理の詳細について、フローチャートを参照して以下に説明する。図１５及び図１６は、実施の形態３における制御装置４の制御部４０が実行する較正処理の詳細な手順の一例を示すフローチャートである。なお、図１５のフローチャートに示す処理手順は、実施の形態３においても図２のフローチャートに示したステップＳ６の詳細に対応する。
【０１２６】
制御部４０は、並置表示装置１０群の内の１つの表示装置１０を選択し（ステップＳ６４１）、選択した表示装置１０に対応する領域、即ち分割されている画像を抽出する（ステップＳ６４２）。
【０１２７】
制御部４０は、領域分割部４０１の機能により、表示装置１０に対応して分割されている画像を更に複数のブロックに分割する（ステップＳ６４３）。具体的には制御部４０は、選択した表示装置１０に対応する画像を更に、４×６のブロックに分割する。
【０１２８】
制御部４０は、判定部４０２のヒストグラム作成部４０４の機能により、分割後のブロックの内の１つのブロックについてヒストグラムを作成する（ステップＳ６４４）。制御部４０が作成するヒストグラムは、実施の形態１における例と同様である。
【０１２９】
制御部４０は、判定部４０２のヒストグラム解析部４０５の機能により、作成したヒストグラムを解析し（ステップＳ６４５）、ヒストグラム中のピークが１つであるか否かを判断する（ステップＳ６４６）。ステップＳ６４６における判断は、実施の形態１における図６のステップＳ６０６における処理と同様である。
【０１３０】
制御部４０は、ピークは１つであると判断した場合（Ｓ６４６：ＹＥＳ）、モアレは発生しておらず、輝度又は色の情報を取得する領域として適していると判定し（ステップＳ６４７）、処理を次のステップＳ６４９へ進める。
【０１３１】
制御部４０は、ピークは１つでないと判断した場合（Ｓ６４６：ＮＯ）、モアレが発生しており、不適であると判定し（ステップＳ６４８）、処理を次のステップＳ６４９へ進める。
【０１３２】
次に制御部４０は、全ブロックについて判定処理を行なったか否かを判断する（ステップＳ６４９）。制御部は、全ブロックについて判定処理を行なっていないと判断した場合（Ｓ６４９：ＮＯ）、処理をステップＳ６４４へ戻し、次のブロックについてステップＳ６４４〜ステップＳ６４８の処理を行なう。
【０１３３】
制御部４０は、全ブロックについて判定処理を行なったと判断した場合（Ｓ６４９：ＹＥＳ）、適していると判定されたブロックが存在しなかったか否かを判断する（ステップＳ６５０）。このとき制御部４０は、所定数以上で不適と判定されていた場合、存在しなかったと判断してもよい。
【０１３４】
制御部４０は、適していると判定されたブロックが１つでも存在したと判断した場合（Ｓ６５０：ＮＯ）、適していると判定されたブロックから、輝度又は色の取得対象として最も適しているブロックを抽出する（ステップＳ６５１）。ステップＳ６５１において制御部４０は、特定したピークの標準偏差が最も小さいブロックを、最も適しているブロックとして抽出する。
【０１３５】
制御部４０は、ステップＳ６５１で抽出したブロックから輝度又は色の情報を出力値として取得し（ステップＳ６５２）、処理を次のステップＳ６５３へ進める。このとき制御部４０は、ピーク値である階調値を出力値として取得する。このとき、ステップＳ６５１で複数のブロックを抽出している場合、制御部４０は、各ブロックのピーク値を平均して取得する。
【０１３６】
制御部４０は、ステップＳ６５０にて適していると判定されたブロックが１つも存在しなかったと判断した場合（Ｓ６５０：ＹＥＳ）、再分割済みか否かを判断する（ステップＳ６５４）。制御部４０は、再分割済みでないと判断した場合（Ｓ６５４：ＮＯ）、領域分割部４０１の機能により、処理をステップＳ６４３へ戻し、分割するブロックの大きさを２／３又は１／２程度に小さくして再分割し（Ｓ６４３）、再分割後のブロックに対してＳ６４４〜Ｓ６５０の処理を実行する。
【０１３７】
制御部４０は、ステップＳ６５４にて再分割済みであると判断した場合（Ｓ６５４：ＹＥＳ）、ブロックへ分割してもモアレが発生している領域を回避できないので、操作部４６の表示パネルに、ステップＳ６４２で抽出した画像を表示させる（ステップＳ６５５）。そして制御部４０は、モアレが生じていない領域を指定させるようにメッセージを出力する（ステップＳ６５６）。
【０１３８】
制御部４０は、表示されている画像の上で操作部４６の入力インタフェースによって領域が指定されたか否かを判断する（ステップＳ６５７）。制御部４０は、領域が指定されていないと判断した場合（Ｓ６５７：ＮＯ）、処理をステップＳ６５７へ戻し、指定されるまで待機する。
【０１３９】
制御部４０は、領域が指定されたと判断した場合（Ｓ６５７：ＹＥＳ）、指定された領域の座標情報に基づき、撮像画像から指定された領域の画像を抽出する（ステップＳ６５８）。
【０１４０】
制御部４０は、ステップＳ６５８で抽出した画像に対し、判定部４０２のヒストグラム作成部４０４の機能により、ヒストグラムを作成する（ステップＳ６５９）。制御部４０が作成するヒストグラムは、ステップＳ６４４、即ち実施の形態１における図６のステップＳ６０４の処理と同様である。
【０１４１】
制御部４０は、判定部４０２のヒストグラム解析部４０５の機能により、作成したヒストグラムを解析し（ステップＳ６６０）、ヒストグラム中のピークが１つであるか否かを判断する（ステップＳ６６１）。ステップＳ６６１における判断は、ステップＳ６４６、つまり、実施の形態１における図６のステップＳ６０６における処理と同様である。
【０１４２】
制御部４０は、ピークは１つであると判断した場合（Ｓ６６１：ＹＥＳ）、モアレが発生しておらず、輝度又は色の情報を取得する領域として適していると判定し（ステップＳ６６２）、当該領域から輝度又は色の情報を出力値として取得する（ステップＳ６６３）。そして制御部４０は、処理を次のステップＳ６５３へ進める。
【０１４３】
制御部４０は、ピークは１つでないと判断した場合（Ｓ６６１：ＮＯ）、当該領域にはモアレが発生しており、不適であると判定し（ステップＳ６６４）、処理をステップＳ６５６へ戻し、再度モアレが発生していない領域を指定させるようにメッセージを出力し（Ｓ６５６）、新たに指定された領域に対しステップＳ６５７〜Ｓ６６４の処理を実行する。そして、適していると判定される領域が存在するまで処理が繰り返される。
【０１４４】
次に制御部４０は、並置表示装置１０群の内の全ての表示装置１０に対応する画像について処理を行なったか否かを判断する（ステップＳ６５３）。
【０１４５】
ステップＳ６５３において制御部４０は、処理は未完了であると判断した場合（Ｓ６５３：ＮＯ）、処理をステップＳ６４１へ戻し、次の表示装置１０に対応する画像について処理を行なう。制御部４０は、全ての表示装置１０に対応する画像について処理を行なったと判断した場合（Ｓ６５３：ＹＥＳ）、処理を図２のフローチャートのステップＳ７へ戻す。
【０１４６】
このように、制御装置４の制御部４０は、領域分割部４０１の機能と、領域受付部４０６の機能とを組み合わせて較正を実行することもできる。組み合わせた機能によって、より正確な出力値を得て、正確な較正を実現することが可能となる。
【０１４７】
上述の実施の形態では、表示システムは信号処理装置２と制御装置４とを別途備える構成とした。しかしながら本発明を実施するにあたり、制御装置４を別途備えず、制御装置の機能を信号処理装置２にて実現する構成としてもよい。
【０１４８】
また、上述の実施の形態１から３では、信号処理装置２は、制御装置４から出力されたコンテンツデータから画像信号を生成して表示装置１０へ各入力して画像を表示させる構成とした。しかしながら本発明はこれに限らず、信号処理装置２が記憶装置５、又は記憶部２１などからコンテンツデータを読み出す構成としてもよい。
【０１４９】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【０１５０】
１  表示部
１０  表示装置
１１  パネル
２  信号処理装置
２２  入出力部
３  撮像装置
４  制御装置
４０  制御部
４０１  領域分割部
４０２  判定部
４０３  較正部
４０４  ヒストグラム作成部
４０５  ヒストグラム解析部
４０６  領域受付部
４１  記憶部
４４  入出力部
４５  接続部
４Ｐ  制御プログラム
６  記録媒体
６Ｐ  制御プログラム
【図１】
2013128177.tif 000003
【図２】
2013128177.tif 000004
【図３】
2013128177.tif 000005
【図４】
2013128177.tif 000006
【図５】
2013128177.tif 000007
【図６】
2013128177.tif 000008
【図８】
2013128177.tif 000009
【図９】
2013128177.tif 000010
【図１０】
2013128177.tif 000011
【図１１】
2013128177.tif 000012
【図１２】
2013128177.tif 000013
【図１３】
2013128177.tif 000014
【図１４】
2013128177.tif 000015
【図１５】
2013128177.tif 000016
【図１６】
2013128177.tif 000017
【図７】
2013128177.tif 000018